(57)【要約】【課題】種々の形状を有する帽子に着脱自在であり、人の頭部の後方及び側方、並びに首部を覆って十分に日除けすることができる日除けベールを提供する。【解決手段】日除けベール１はポリプロピレン繊維のメッシュ材製であり、略矩形状をなすベール本体２と、該ベール本体２の上側長辺に内設され、かつ上側長辺の両端部を連結するゴム紐３と、ベール本体２の下側長辺の両端部から所定間隔を隔てた位置を起点として該両端部を橋絡するように取り付けられた顎紐４と、顎紐４の長さを調節する調節部５とを備えている。調節部５は、紐挿通孔をそれぞれ有する本体及び留め部を備え、留め部の本体への出入により顎紐４上を摺動させたり係止させたりするように構成されている。【選択図】図１
2011052360.tif 000002
【特許請求の範囲】
【請求項１】
帽子から垂下されて、頭部の後方及び側方、並びに首部を覆う日除けベールであって、
ベール本体と、
該ベール本体の周縁の一部分を前記帽子に回し掛けて固定する固定部と
を備えることを特徴とする日除けベール。
【請求項２】
前記固定部は、前記周縁の一部分に内設され、かつ前記周縁の一部分の両端部を連結するゴム紐により構成されることを特徴とする請求項１に記載の日除けベール。
【請求項３】
前記ゴム紐は、前記周縁の一部分の一端部で固定されていることを特徴とする請求項２に記載の日除けベール。
【請求項４】
前記ベール本体の周縁の他部分の両端部を連結する顎紐と、
該顎紐の長さを調節する調節部と
を備えることを特徴とする請求項１乃至３のいずれかに記載の日除けベール。
【請求項５】
前記調節部は、
中央部で折り返した前記顎紐を挿通する紐挿通孔を有する本体と、
前記顎紐を挿通する紐挿通孔を有し、一端部がばねを介し前記本体の内部に取り付けられ、他端部が前記本体から突出した留め部と
を備え、
前記留め部の他端部を押圧した場合に２つの紐挿通孔が重なり、前記顎紐の長手方向に摺動され、前記他端部の押圧を解除した場合に、前記留め部の紐挿通孔の前記一端部側の外縁に設けられた凸部と前記本体の紐挿通孔の内縁との間に前記顎紐が挟持されるように構成されていることを特徴とする請求項４に記載の日除けベール。
【請求項６】
メッシュ材からなることを特徴とする請求項１乃至５のいずれかに記載の日除けベール。
【発明の詳細な説明】
【技術分野】
【０００１】
本発明は、帽子に固定されて垂下され、頭部の後方及び側方、並びに首部を覆う日除けベールに関する。
【背景技術】
【０００２】
炎天下で農作業、園芸仕事、工事、スポーツ、及びレジャー等を行う場合には帽子が着用されるが、顔面等の頭部の側方、頭部の後方、及びうなじ等は露出しているので直射日光の影響を受けやすく、紫外線によって日焼けしたり、赤外線によって熱射病にかかったりすることがある。特に、子供は皮膚が弱く、紫外線を浴びた場合、将来的に皮膚ガンに罹患する可能性もあり、また体温が高く、熱がこもりやすいので、頭部及び首部を極力日光から避ける必要がある。
従来、覆い布付きの帽子を着用したり首部にタオルを巻いたりすることもなされていたが、覆い布は他の帽子に適用することができず、タオルは外れやすくて嵩張り、ともに防暑性に劣るという問題があった。
【０００３】
特許文献１には、着丈が肩からでん部に到り、袖ぐりが大きく開口されている遮光材料からなる防暑対策作業用の上衣と、帽子本体、該帽子本体に設けた帽子の略半分となる遮光材料からなる少なくとも首部を被う被部、及び首部に捲装する紐から構成される防暑対策作業衣用の帽子との考案が開示されている。
【先行技術文献】
【特許文献】
【０００４】
【特許文献１】実用新案登録第３０７５４５５号公報
【発明の概要】
【発明が解決しようとする課題】
【０００５】
しかしながら、特許文献１の遮光材料は帽子と一体化されており、不要の場合に帽子から取り外すことができず、また、他の帽子に適用することができないという問題があった。そして、紐はリボン結びによって結ばれるように構成されており、ほどけやすく、小さな子供用には適用できないという問題があった。さらに、被部は収納時に嵩張るという問題もあった。
【０００６】
本発明は斯かる事情に鑑みてなされたものであり、種々の形状を有する帽子に着脱自在であり、人の頭部の後方及び側方、並びに首部を覆って十分に日除けすることができる日除けベールを提供することを目的とする。
【課題を解決するための手段】
【０００７】
第１発明に係る日除けベールは、帽子から垂下されて、頭部の後方及び側方、並びに首部を覆う日除けベールであって、ベール本体と、該ベール本体の周縁の一部分を前記帽子に回し掛けて固定する固定部とを備えることを特徴とする。
【０００８】
本発明においては、ベール本体を固定部により帽子に回し掛けて固定するので、いずれの帽子にも容易に装着することができ、人の頭部の後方及び側方、並びに首部を覆って十分に日除けすることができる。
【０００９】
第２発明に係る日除けベールは、第１発明において、前記固定部は、前記周縁の一部分に内設され、かつ前記周縁の一部分の両端部を連結するゴム紐により構成されることを特徴とする。
【００１０】
本発明においては、子供も含めて容易に帽子に装着することができる。また、ゴム紐は目立たないので、意匠性も良好である。
【００１１】
第３発明に係る日除けベールは、第２発明において、前記ゴム紐は、前記周縁の一部分の一端部で固定されていることを特徴とする。
【００１２】
本発明においては、ゴム紐が一端部で固定されているので、ゴム紐に対してベール本体が回ることが防止されている。
【００１３】
第４発明に係る日除けベールは、第１乃至第３発明のいずれかにおいて、前記ベール本体の周縁の他部分の両端部を連結する顎紐と、該顎紐の長さを調節する調節部とを備えることを特徴とする。
【００１４】
本発明においては、顎紐によりベール本体が頭周りに回転するのが抑制される。そして、顎紐の長さを調節できるので、引き締め具合を調整することができる。
【００１５】
第５発明に係る日除けベールは、第４発明において、前記調節部は、中央部で折り返した前記顎紐を挿通する紐挿通孔を有する本体と、前記顎紐を挿通する紐挿通孔を有し、一端部がばねを介し前記本体の内部に取り付けられ、他端部が前記本体から突出した留め部とを備え、前記留め部の他端部を押圧した場合に２つの紐挿通孔が重なり、前記顎紐の長手方向に摺動され、前記他端部の押圧を解除した場合に、前記留め部の紐挿通孔の前記一端部側の外縁に設けられた凸部と前記本体の紐挿通孔の内縁との間に前記顎紐が挟持されるように構成されていることを特徴とする。
【００１６】
本発明においては、子供も含めて容易に顎紐の長さを調節することができる。そして、顎紐が調節部に係止された場合には、ずれることがなく、顎紐の長さが変動することがない。また、コンパクトに構成されているので嵩張らず、子供が嫌がることもない。
【００１７】
第６発明に係る日除けベールは、第１乃至第５発明のいずれかにおいて、メッシュ材からなることを特徴とする。
【００１８】
本発明においては、通気性が良好であり、熱が籠もることが防止されて防暑性が良好であり、また、軽量にすることができる。そして、容易に折り畳むことができる。
【発明の効果】
【００１９】
本発明によれば、ベール本体を固定部により帽子に回し掛けて固定するので、いずれの帽子にも容易に着脱することができ、人の頭部の後方及び側方、並びに首部を覆って十分に日除けすることができる。従って、皮膚が保護されて日焼けが防止され、皮膚ガンの発生が予防される。
【００２０】
本発明によれば、ベール本体の周縁の一部分に内設され、かつ前記周縁の一部分の両端部を連結するゴム紐により帽子に固定されるので、容易に帽子に着脱することができる。そして、ゴム紐は目立たないので、意匠性も良好である。
【００２１】
本発明によれば、ゴム紐が前記周縁の一部分の一端部で固定されているので、ゴム紐に対してベール本体が回ることが防止されている。
【００２２】
本発明によれば、顎紐と顎紐の長さを調節する調節部とを備えるので、ベール本体が頭周りに回転するのが抑制され、引き締め具合、ベール本体の拡がり具合を調整することができる。
【００２３】
本発明によれば、調節部が紐挿通孔をそれぞれ有する本体及び留め部を備え、留め部の本体への出入により顎紐上を調節部を摺動させたり係止させたりするので、容易に顎紐の長さを調節することができる。そして、コンパクトに構成されているので嵩張らず、子供が嫌がることもない。
【図面の簡単な説明】
【００２４】
【図１】本発明の実施の形態１に係る日除けベールを示す平面図である。
【図２】本発明の実施の形態１に係る調節部を示す拡大図である。
【図３】本発明の実施の形態１に係る日除けベールを帽子に装着した状態を示す正面図である。
【図４】本発明の実施の形態１に係る日除けベールを帽子に装着した状態を示す背面図である。
【図５】本発明の実施の形態２に係る日除けベールを示す平面図である。
【図６】本発明の実施の形態２に係る日除けベールを帽子に装着した状態を示す側面図である。
【発明を実施するための形態】
【００２５】
実施の形態１．
以下、本発明を、その実施の形態を示す図面に基づいて詳述する。
図１は、本発明の実施の形態１に係る日除けベール１を示す平面図であり、図２は、調節部５を示す拡大図である。
【００２６】
日除けベール１のベール本体２はポリプロピレン繊維のメッシュ材製であり、黒色であって半透光性を有し、略矩形状をなしている。ベール本体２の上側長辺（周縁の一部分）の端部は、三つ折り縫いで始末してある。ベール本体２の他の三辺はバイアステープで挟み、縁取りしてある。ベール本体２の上側長辺にはゴム紐３が内設され、かつ該ゴム紐３によって上側長辺の両端部が連結されている。そして、ゴム紐３は上側長辺の一端部に固定されている。ベール本体２は上側長辺がゴム紐３により絞られ、また、上側長辺の両端部がゴム紐３により連結されているので、ベール本体２は長手方向の両端部が折り返されている。
ベール本体２の下側長辺の両端部は丸みを付けてあり、該両端部から所定間隔を隔てた位置を起点として該両端部を橋絡するように顎紐４が取り付けられている。
【００２７】
顎紐４は中央部で折り曲げられた状態で調節部５に挿通されている。
図２に示すように、調節部５の本体５１は略球状をなし、本体５１には平面視が略楕円状をなし、中央部で折り曲げられた顎紐４を挿通する挿通孔５１ａが設けられている。挿通孔５１ａの長軸は、顎紐４の幅より少し大きくしてある。本体５１の内部には挿通孔５１ａの短軸方向と一致する方向に伸縮するばね５２が設けられている。
【００２８】
ばね５２の先端部には、略円筒状をなす留め部５３の一底面（一端部）が取り付けられている。留め部５３の他底面（他端部）は本体５１から突出しており、ばね５２の伸縮に連動して突出長が変動するように構成されている。留め部５３には、平面視が略矩形状をなし、顎紐４を挿通させる紐挿通孔５３ａが設けられている。紐挿通孔５３ａの短辺は顎紐４の幅より少し大きくしてあり、挿通孔５１ａの長径は挿通孔５３ａの短辺より少し長くしてある。
紐挿通孔５３ａのばね５２側の外縁には外側に突出した凸部５４，５４が設けられており、ばね５２が伸び切った場合に凸部５４，５４は紐挿通孔５１ａの留め部５３側の内縁に当接するように構成されている。
【００２９】
留め部５３の突出している底面を押圧した場合に２つの紐挿通孔５１ａ，５３ａが重なり、調節部５を顎紐４の長手方向に摺動させることができ、前記底面の押圧を解除した場合に、凸部５４，５４と本体５１の紐挿通孔５１ａの内縁との間に顎紐４が挟持されて、顎紐４の摺動が抑止される。
【００３０】
以下に、図３及び図４を参照して日除けベール１の取り付け方法について説明する。図３は、日除けベール１を帽子７に装着した状態を示す正面図、図４は、日除けベール１を帽子７に装着した状態を示す背面図である。
まず、帽子７を着用した状態で、帽子７の前側下部にゴム紐３の露出した部分を合わせて上下方向の位置を調節し、ベール本体２の上側長辺の絞りを調整して、ベール本体２が均等に帽子から垂下されるようにする。
そして、調節部５の留め部５３の底面を押圧して顎紐４の長手方向に調節部５を滑らせ、ベール本体２の絞り方を調節する。
図３に示すような位置まで調節部５を上げた場合、頭部の後方及び側方、並びに首部が完全に日除けベール１に覆われることになる。
【００３１】
本実施の形態においては、日除けベール１は上述したように黒色を有するので、日除けベール１は紫外線を吸収し、紫外線は肌に届く前に大部分がカットされる。そして、地面からの照り返しによる紫外線も吸収されるので、十分に日除けがなされる。従って、皮膚が保護されて、日焼けが防止され、皮膚ガンが予防される。黒色の場合、赤外線も吸収されるが、日除けベール１はメッシュ材からなるので、通気性が良好であり、防暑性も良好である。また、日除けベール１がメッシュ材からなるので虫除けも十分になされる。加えて、軽量にすることができ、コンパクトに折り畳むことができる。
【００３２】
また、本実施の形態においては、ベール本体２をゴム紐３により帽子７に回し掛けて固定するので、どのような形状の帽子にも容易に装着することができ、人の頭部の後方及び側方、並びに首部を覆って十分に日除けすることができる。ゴム紐３は目立たないので、意匠性も良好である。
そして、本実施の形態においては、ゴム紐３がベール本体２の上側長辺の一端部で固定されているので、ゴム紐３に対してベール本体２が回ることが防止されている。
さらに、本実施の形態においては、顎紐４によりベール本体２が頭周りに回転するのが抑制されている。そして、顎紐４の長さを調節できるので、引き締め具合、ベール本体２の拡がり具合を調整することができる。
【００３３】
実施の形態２．
図５は、本発明の実施の形態２に係る日除けベール１１を示す平面図である。
本実施の形態２に係る日除けベール１１は実施の形態１に係る日除けベール１を縮小した子供用であり、日除けベール１と同様に、ベール本体１２、ゴム紐１３、顎紐１４、及び調節部１５を備えている。ベール本体１２はポリプロピレン繊維のメッシュ材製であり、黒色であって半透光性を有する。
【００３４】
図６は、帽子１７に日除けベール１１を装着した状態を示す側面図である。
日除けベール１１は、ハット型の帽子１７を着用した状態で、帽子１７の本体と鍔との境界付近にゴム紐１３の露出した部分を合わせ、ベール本体１２の上側長辺の絞りを調整して、ベール本体１２が均等に帽子から垂下されるようにして帽子１７に装着される。
そして、調節部１５により顎紐１４の長さが調節されている。
【００３５】
本実施の形態の日除けベール１１は、構成が簡単であり、２〜４歳程度の子供にも使用することができ、十分に日除けがなされる。従って、皮膚が保護されて、日焼けが防止され、皮膚ガンが予防される。調節部１５に顎紐１４が係止された場合、調節部１５はずれることがないので、顎紐１４の長さが変動することはない。そして、調節部１５はコンパクトに構成されており、嵩張らず、子供が嫌がることもない。
【００３６】
なお、前記実施の形態１及び２においては、日除けベール１，１１が黒色を有する場合につき説明しているがこれに限定されるものではなく、例えば白色を有していてもよい。日除けベール１，１１が白色を有する場合、紫外線を反射させることにより紫外線がカットされる。日除けベール１，１１が黒色を有する方が紫外線のカット効果は大きいが、白色を有する場合、赤外線も反射させることができる。
また、日除けベール１，１１がメッシュ材からなる場合につき説明しているがこれに限定されるものではない。但し、メッシュ材から構成する方が、通気性が良好であり、防暑性に優れるので好ましい。
さらに、日除けベール１，１１はポリプロピレン繊維製である場合に限定されず、綿製等であってもよい。
また、日除けベール１，１１は、半透光性を有する場合に限定されず、略完全に遮光する不透光性を有するものであってもよい。日除けベール１，１１が半透光性を有する場合、日除けベール１，１１の内側の様子が窺うことができる。
【００３７】
そして、ベール本体２，１２の上側長辺にゴム紐３，１３が内設されている場合には限定されない。但し、ゴム紐３，１３が内設されている方が帽子７，１７への装着が容易であり、上側長辺の絞りを調整して、ベール本体２，１２が均等に帽子７，１７から垂下されるようにすることができるので好ましい。
調節部５，１５の構成も実施の形態１及び２において説明した場合には限定されない。但し、実施の形態の構成の場合、容易に顎紐４，１４の長さを調節することができ、確実に顎紐４，１４の動きを抑止することができるので好ましい。
さらに、ベール本体２，１２の形状は略矩形状である場合に限定されず、舌状等であってもよい。
【符号の説明】
【００３８】
１、１１  日除けベール
２、１２  ベール本体
３、１３  ゴム紐
４、１４  顎紐
５、１５  調節部
５１  本体
５１ａ、５３ａ  紐挿通孔
５２  ばね
５３  留め部
５４  凸部
７、１７  帽子
【図１】
2011052360.tif 000003
【図２】
2011052360.tif 000004
【図３】
2011052360.tif 000005
【図４】
2011052360.tif 000006
【図５】
2011052360.tif 000007
【図６】
2011052360.tif 000008
【手続補正書】
【提出日】平成22年7月26日(2010.7.26)
【手続補正１】
【補正対象書類名】明細書
【補正対象項目名】０００７
【補正方法】変更
【補正の内容】
【０００７】
第１発明に係る日除けベールは、帽子から垂下されて、頭部の後方及び側方、並びに首部を覆う日除けベールであって、略矩形状をなすベール本体と、該ベール本体の一辺を前記帽子に回し掛けて固定する固定部とを備え、前記固定部は、前記一辺の始末した端部に内設され、かつ前記一辺の両端部を連結するゴム紐により構成され、前記ゴム紐は前記一辺の一端部で固定されており、前記ベール本体は、前記帽子に前記ゴム紐の露出した部分を合わせて、前記一辺の絞りを調整して前記帽子に固定できるように構成されていることを特徴とする。
【手続補正２】
【補正対象書類名】明細書
【補正対象項目名】０００８
【補正方法】変更
【補正の内容】
【０００８】
本発明においては、ベール本体を固定部により帽子に回し掛けて固定するので、いずれの帽子にも容易に装着することができ、人の頭部の後方及び側方、並びに首部を覆って十分に日除けすることができる。
そして、本発明においては、子供も含めて容易に帽子に装着することができる。また、ゴム紐は目立たないので、意匠性も良好である。
また、本発明においては、ゴム紐が一端部で固定されているので、ゴム紐に対してベール本体が回ることが防止されている。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】変更
【補正の内容】
【００１３】
第２発明に係る日除けベールは、第１発明において、前記ベール本体の周縁の他部分の両端部を連結する顎紐と、該顎紐の長さを調節する調節部とを備えることを特徴とする。
【手続補正８】
【補正対象書類名】明細書
【補正対象項目名】００１５
【補正方法】変更
【補正の内容】
【００１５】
第３発明に係る日除けベールは、第２発明において、前記調節部は、中央部で折り返した前記顎紐を挿通する紐挿通孔を有する本体と、前記顎紐を挿通する紐挿通孔を有し、一端部がばねを介し前記本体の内部に取り付けられ、他端部が前記本体から突出した留め部とを備え、前記留め部の他端部を押圧した場合に２つの紐挿通孔が重なり、前記顎紐の長手方向に摺動され、前記他端部の押圧を解除した場合に、前記留め部の紐挿通孔の前記一端部側の外縁に設けられた凸部と前記本体の紐挿通孔の内縁との間に前記顎紐が挟持されるように構成されていることを特徴とする。
【手続補正９】
【補正対象書類名】明細書
【補正対象項目名】００１７
【補正方法】変更
【補正の内容】
【００１７】
第４発明に係る日除けベールは、第１乃至第３発明のいずれかにおいて、メッシュ材からなることを特徴とする。
【手続補正１０】
【補正対象書類名】特許請求の範囲
【補正対象項目名】全文
【補正方法】変更
【補正の内容】
【特許請求の範囲】
【請求項１】
帽子から垂下されて、頭部の後方及び側方、並びに首部を覆う日除けベールであって、
略矩形状をなすベール本体と、
該ベール本体の一辺を前記帽子に回し掛けて固定する固定部と
を備え、
前記固定部は、前記一辺の始末した端部に内設され、かつ前記一辺の両端部を連結するゴム紐により構成され、
前記ゴム紐は前記一辺の一端部で固定されており、
前記ベール本体は、前記帽子に前記ゴム紐の露出した部分を合わせて、前記一辺の絞りを調整して前記帽子に固定できるように構成されていることを特徴とする日除けベール。
【請求項２】
前記ベール本体の周縁の他部分の両端部を連結する顎紐と、
該顎紐の長さを調節する調節部と
を備えることを特徴とする請求項１に記載の日除けベール。
【請求項３】
前記調節部は、
中央部で折り返した前記顎紐を挿通する紐挿通孔を有する本体と、
前記顎紐を挿通する紐挿通孔を有し、一端部がばねを介し前記本体の内部に取り付けられ、他端部が前記本体から突出した留め部と
を備え、
前記留め部の他端部を押圧した場合に２つの紐挿通孔が重なり、前記顎紐の長手方向に摺動され、前記他端部の押圧を解除した場合に、前記留め部の紐挿通孔の前記一端部側の外縁に設けられた凸部と前記本体の紐挿通孔の内縁との間に前記顎紐が挟持されるように構成されていることを特徴とする請求項２に記載の日除けベール。
【請求項４】
メッシュ材からなることを特徴とする請求項１乃至３のいずれかに記載の日除けベール。
【手続補正書】
【提出日】平成22年11月16日(2010.11.16)
【手続補正１】
【補正対象書類名】明細書
【補正対象項目名】０００７
【補正方法】変更
【補正の内容】
【０００７】
第１発明に係る日除けベールは、帽子から垂下されて、頭部の後方及び側方、並びに首部を覆う日除けベールであって、略矩形状をなすベール本体と、該ベール本体の一辺を前記帽子に回し掛けて固定する固定部と、前記ベール本体の前記一辺に対向する辺の両端部を連結する顎紐と、該顎紐の長さを調節する調節部とを備え、前記固定部は、前記一辺の始末した端部に内設され、かつ前記一辺の両端部を連結するゴム紐により構成され、前記ゴム紐は前記一辺の一端部で固定されており、前記ベール本体は、前記帽子に前記ゴム紐の露出した部分を合わせて、前記一辺の絞りを調整して前記帽子に固定できるように構成されていることを特徴とする。
【手続補正２】
【補正対象書類名】明細書
【補正対象項目名】０００８
【補正方法】変更
【補正の内容】
【０００８】
本発明においては、ベール本体を固定部により帽子に回し掛けて固定するので、いずれの帽子にも容易に装着することができ、人の頭部の後方及び側方、並びに首部を覆って十分に日除けすることができる。
そして、本発明においては、子供も含めて容易に帽子に装着することができる。また、ゴム紐は目立たないので、意匠性も良好である。
また、本発明においては、ゴム紐が一端部で固定されているので、ゴム紐に対してベール本体が回ることが防止されている。
本発明においては、顎紐によりベール本体が頭周りに回転するのが抑制される。そして、顎紐の長さを調節できるので、引き締め具合を調整することができる。
【手続補正３】
【補正対象書類名】明細書
【補正対象項目名】００１３
【補正方法】削除
【補正の内容】
【手続補正４】
【補正対象書類名】明細書
【補正対象項目名】００１４
【補正方法】削除
【補正の内容】
【手続補正５】
【補正対象書類名】明細書
【補正対象項目名】００１５
【補正方法】変更
【補正の内容】
【００１５】
第２発明に係る日除けベールは、第１発明において、前記調節部は、中央部で折り返した前記顎紐を挿通する紐挿通孔を有する本体と、前記顎紐を挿通する紐挿通孔を有し、一端部がばねを介し前記本体の内部に取り付けられ、他端部が前記本体から突出した留め部とを備え、前記留め部の他端部を押圧した場合に２つの紐挿通孔が重なり、前記顎紐の長手方向に摺動され、前記他端部の押圧を解除した場合に、前記留め部の紐挿通孔の前記一端部側の外縁に設けられた凸部と前記本体の紐挿通孔の内縁との間に前記顎紐が挟持されるように構成されていることを特徴とする。
【手続補正６】
【補正対象書類名】明細書
【補正対象項目名】００１７
【補正方法】変更
【補正の内容】
【００１７】
第３発明に係る日除けベールは、第１又は第２発明において、メッシュ材からなることを特徴とする。
【手続補正７】
【補正対象書類名】特許請求の範囲
【補正対象項目名】全文
【補正方法】変更
【補正の内容】
【特許請求の範囲】
【請求項１】
帽子から垂下されて、頭部の後方及び側方、並びに首部を覆う日除けベールであって、
略矩形状をなすベール本体と、
該ベール本体の一辺を前記帽子に回し掛けて固定する固定部と、
前記ベール本体の前記一辺に対向する辺の両端部を連結する顎紐と、
該顎紐の長さを調節する調節部と
を備え、
前記固定部は、前記一辺の始末した端部に内設され、かつ前記一辺の両端部を連結するゴム紐により構成され、
前記ゴム紐は前記一辺の一端部で固定されており、
前記ベール本体は、前記帽子に前記ゴム紐の露出した部分を合わせて、前記一辺の絞りを調整して前記帽子に固定できるように構成されていることを特徴とする日除けベール。
【請求項２】
前記調節部は、
中央部で折り返した前記顎紐を挿通する紐挿通孔を有する本体と、
前記顎紐を挿通する紐挿通孔を有し、一端部がばねを介し前記本体の内部に取り付けられ、他端部が前記本体から突出した留め部と
を備え、
前記留め部の他端部を押圧した場合に２つの紐挿通孔が重なり、前記顎紐の長手方向に摺動され、前記他端部の押圧を解除した場合に、前記留め部の紐挿通孔の前記一端部側の外縁に設けられた凸部と前記本体の紐挿通孔の内縁との間に前記顎紐が挟持されるように構成されていることを特徴とする請求項１に記載の日除けベール。
【請求項３】
メッシュ材からなることを特徴とする請求項１又は２に記載の日除けベール。